(57)【要約】      （修正有）【課題】どの建設現場においても、振動・騒音の計測測定が容易で、安価にインターネット上での表示が可能なシステムを提供する。【解決手段】スマートフォンで振動・騒音を計測し、ソーシャルインターネットサービスで表示する。【選択図】なし【特許請求の範囲】
【請求項１】
主に建設現場等において、騒音・振動を計測、写真撮影、位置情報を所得するスマートホンアプリと加速度センサーを用いた振動ピックアップシステムの手段において、ソーシャルインターネットサービスにおいてインターネット上に表示、掲示できるスマートフォンアプリ、及びソーシャルwebサーバシステム。
【発明の詳細な説明】
【技術分野】
【０００１】
本発明は、振動・騒音計測アプリ及び建設業イメージアップ用SNS掲示板システムであり、スマートフォンによって振動・騒音を計測し、測定場所の写真を撮影し、その位置情報、測定値、を専用のSNS掲示板にてインターネット上に掲示するシステムに関するものである
【背景技術】
【０００２】
現在の振動・騒音の計測には、専用の計測機器を用いてその値を計測する必要があった。しかし、高額の上、重い。持ち運びが面倒である。また、その数値をインターネット上に簡易に表示、広く告知する複合アプリケーションシステムは存在しない。
【０００３】
計測器及び表示装置の本体の価格が高く、月々のレンタル料が約15万円〜100万円と非常に高い。建設現場内の表示装置は1か所の場合が多く、そこまで行って確認するのみであった。
【０００４】
さらに、測定装置が高額の為、建設現場の振動や騒音を地域住民に十分に情報提供できない場合が多く、地域住民との摩擦を生じることがあった。また、建設現場で作業を行なう者が、振動や騒音の数値を把握しないことから地域住民の生活を守る観点での振動や騒音を抑えようとする意識が希薄になっている。
【０００５】
これらの問題を解決し、地域住民の生活を守るためには、振動計測器や騒音計測器の軽量化と低価格化が必要である。そこで、現場関係者が持つスマートフォンで振動・騒音を計測し、インターネット上に簡易に表示することにした。そのためには、スマートフォンに取り付ける部品に振動計測器の中に組み込まれているファームウエアや騒音計測器から取り出される電気信号を音声信号に変換するためのアプリケーションソフトの開発が必須であった。
この技術は、例えばiPhone側で、出力される  音声信号を基板上で認識し、LEDのランプを点灯させた実験です。音声信号をデジタル復調することにより加工された情報を取り出すことができます。また、下右図は、Bluetoothの通信技術を使い同様な信号を伝送、加工する技術です。図１参照
【先行技術文献】
【特許文献】
【０００６】
【特許文献１】特開２０１０−００９４７７
【非特許文献】
【０００７】
【非特許文献１】スマートデバイス於ける音声信号を用いた外部機器制御インターフェイス構築（本池巧著）
【発明の概要】
【発明が解決しようとする課題】
【０００８】
解決しようとする課題は、振動・騒音の計測測定が複雑で、かつ高額の為、どの建設現場においても、振動・騒音の計測及びインターネット上の表示が可能ではなかった。
【課題を解決するための手段】
【０００９】
本発明は、スマートフォンにおいて、振動・騒音を計測し、独自開発のソーシャルシステムで表示、掲示することで可能になる。
【発明の効果】
【００１０】
本発明の、建設業振動・騒音計測アプリケーションイメージアップ用SNS掲示板システムは、建設現場付近において、近隣住民から安心と信頼を得ることが可能になり、建設作業中は、近隣住民からの苦情を緩和することが可能になる。
【図面の簡単な説明】
【００１１】
図１は、加速度センサーを使って、微弱な電流を取り出し、音声信号に変換し基板      上で認識させた実験です。音声信号をデジタル復調することにより加工された情報を取り出すことができる振動・騒音を計測するアプリケーションソフトの画面である。（実施例１）図２は撮影、計測、保存、投稿、表示される仕組みを示したブロック図及び、構成図である。（実施例２）図３はアプリケーション表示システムの機能画面である。ソーシャル機能とリアルアンケート機能と掲示板機能をもつ建設業のーシャルネットワ    ーキングシステム。（実施例３）図４はスマートフォンのアプリケーションからの振動・騒音値をサーバーで受け取り、SNSシステムに表示する仕組みのブロック図である。図５は任意のアンケートを管理画面から作成し、表示するシステムである。図６は建設
現場の事務所等の地図をアプリ上で作成し、表示するシステムである。
【発明を実施するための形態】
【００１２】
騒音計測はスマートフォンのマイクをピックアップとしている。振動計測は、スマ
―トフォンのPhone Jackのトーン信号を利用して、加速度センサーを使い振
動に変換している。
【実施例１】
【００１３】
図１は、加速度センサーを使って、微弱な電流を取り出し、音声信号に変換し基板上で認識させた実験です。音声信号をデジタル復調することにより加工された情報を取り出すことができる。
【実施例２】
【００１４】
図２は撮影、計測、保存される仕組みを示したブロック図及び、構成図である。
【実施例３】
【００１５】
図３はアプリケーションシステムの機能画面である。
【実施例４】
【００１６】
図４はスマートフォンのアプリケーションからの振動・騒音値をサーバーで受け取り、SNSシステムに表示する仕組みのブロック図である。
【実施例５】
【００１７】
図５は任意のアンケートを管理画面から作成し、表示するシステムである。
【実施例６】
【００１８】
図６は建設現場の地図をアプリ上で作成し、表示するシステムである。
【産業上の利用可能性】
【００１９】
本システムを利用することにより、日本全国のスマホを持つ誰もがその場所の振動・騒音の値をインターネット上に公開できることになる。また山の中や建設資材の搬入口を表示できる。
【符号の説明】
【００２０】
１    目的地アイコン
２    住宅アイコン
３    コンビニアイコン
４    ガソリンスタンド
５    道路アイコン
６    方向矢印
７    信号アイコン
８    看板アイコン
【図１】
2016081171.tif 000002
【図２】
2016081171.tif 000003
【図３】
2016081171.tif 000004
【図４】
2016081171.tif 000005
【図５】
2016081171.tif 000006
【図６】
2016081171.tif 000007
【手続補正書】
【提出日】平成27年1月7日(2015.1.7)
【手続補正１】
【補正対象書類名】明細書
【補正対象項目名】００１１
【補正方法】変更
【補正の内容】
【００１１】
【図１】加速度センサーを使って、微弱な電流を取り出し、音声信号に変換し基板上で認識させた実験です。音声信号をデジタル復調することにより加工された情報を取り出すことができる振動・騒音を計測するアプリケーションソフトの画面（実施例１）
【図２】撮影、計測、保存、投稿、表示される仕組みを示したブロック図及び、構成図（実施例２）
【図３】アプリケーション表示システムの機能画面で、ソーシャル機能とリアルアンケート機能と掲示板機能をもつ建設業のソーシャルネットワーキングシステム（実施例３）
【図４】スマートフォンのアプリケーションからの振動・騒音値をサーバーで受け取り、ＳＮＳシステムに表示する仕組みのブロック図
【図５】任意のアンケートを管理画面から作成し表示するシステム
【図６】建設現場の事務所等の地図をアプリ上で作成し表示するシステム